(57)【特許請求の範囲】
【請求項１】
被検出物を検出する投光素子及び受光素子と、
前記投光素子及び受光素子の動作に基づいて前記被検出物を検出したとき、検出信号を出力する制御回路を搭載した回路基板と、
前記回路基板の回路素子搭載面に設けられた表示灯と
をケースに収めた光電センサであって、
前記ケースの上面には、前記投光素子及び前記受光素子が予め設定された間隔を隔てて対向するように上方に延設されている光電センサにおいて、
前記ケースの表面に露出するとともに前記回路素子搭載面を覆い、前記表示灯から出力される可視光を透過可能とした基板カバーと、
前記基板カバーと前記回路素子搭載面との間に確保される空間と、
前記投光素子、前記受光素子及び前記回路基板をそれぞれ保持する枠部材と、
前記枠部材を覆うとともに、前記基板カバーを一体に成形したカバー部材と、
前記枠部材及びカバー部材を覆うように成形される前記ケースと
を備え、
前記枠部材と、前記カバー部材と、前記ケースを熱可塑性樹脂で成形したことを特徴とする光電センサ。
【請求項２】
請求項１記載の光電センサにおいて、
前記基板カバーには、前記可視光を散乱させる散乱光生成部を備えたことを特徴とする光電センサ。
【請求項３】
請求項２に記載の光電センサにおいて、
前記散乱光生成部は、前記基板カバーの前記回路素子搭載面との対向面に設けられた多数の凹凸であることを特徴とする光電センサ。
【請求項４】
請求項３に記載の光電センサにおいて、
前記凹凸は、前記基板カバーの長手方向に沿って設けられる断面波形の凹凸であることを特徴とする光電センサ。
【請求項５】
請求項１に記載の光電センサにおいて、
前記ケースは、前記基板カバーの上面及び側面を露出させた状態で前記カバー部材を覆うように成形したことを特徴とする光電センサ。
【発明の詳細な説明】
【技術分野】
【０００１】
本発明は、光電センサに関するものである。
【背景技術】
【０００２】
光電センサは、投光部と受光部とが対向して設けられ、投光部から受光部に向かって出力される赤外線等の検出光が被検出物で遮られたとき、被検出物を検出可能となっている。
【０００３】
光電センサの一種類として、投光素子を備えた投光部と、受光素子を備えた受光部と、投光部からの検出光の出力動作の制御及び受光部での受光動作により検出信号を生成し、その検出信号を被検出部の位置制御等を行う制御システムに出力する制御回路を搭載した回路基板を備えたものがある。また、被検出物を検出したとき表示灯を点灯させるようにした光電センサもある。
【０００４】
特許文献１には、アンプ部に表示灯を備え、アンプ部を収容するケースに表示灯窓を備えたホトセンサが開示されている。
【先行技術文献】
【特許文献】
【０００５】
【特許文献１】特開平１１−１４５５０５号公報
【発明の概要】
【発明が解決しようとする課題】
【０００６】
特許文献１に開示されたホトセンサでは、ケースに設けられた表示灯窓から表示灯の点灯の有無を視認可能であるが、表示灯窓のほぼ正面からに限り、表示灯の点灯を視認可能である。従って、表示灯の点灯の有無を確認し難いという問題点がある。
【０００７】
この発明はこのような事情に鑑みてなされたものであり、その目的は表示灯の点灯を容易に視認可能とした光電センサを提供することにある。
【課題を解決するための手段】
【０００８】
上記課題を解決する光電センサは、被検出物を検出する投光素子及び受光素子と、前記投光素子及び受光素子の動作に基づいて前記被検出物を検出したとき、検出信号を出力する制御回路を搭載した回路基板と、前記回路基板の回路素子搭載面に設けられた表示灯とをケースに収め、ケースの上面には、投光素子及び前記受光素子が予め設定された間隔を隔てて対向するように上方に延設された光電センサにおいて、前記ケースの表面に露出するとともに前記回路素子搭載面を覆い、前記表示灯から出力される可視光を透過可能とした基板カバーと、前記基板カバーと前記回路素子搭載面との間に確保される空間を備えたことを特徴とする。
【０００９】
この構成により、表示灯の点灯時に基板カバーの表面全体が明るくなる。
また、上記の光電センサでは、前記基板カバーに前記可視光を散乱させる散乱光生成部を備えることが好ましい。
【００１０】
この構成により、表示灯から出力される可視光が散乱光生成部で散乱するため、表示灯の点灯時に基板カバーの表面全体が明るくなる。
また、上記の光電センサでは、前記投光素子、前記受光素子及び前記回路基板をそれぞれ保持する枠部材と、前記枠部材を覆うとともに、前記基板カバーを一体に成形したカバー部材と、前記枠部材及びカバー部材を覆うように成形される前記ケースとを備え、前記枠部材と、前記カバー部材と、前記ケースを熱可塑性樹脂で成形することが好ましい。
【００１１】
この構成により、ケースと枠部材及びカバー部材との界面が互いに溶融して水密性が向上する。
また、上記の光電センサでは、前記散乱光生成部は、前記基板カバーの前記回路素子搭載面との対向面に設けられた多数の凹凸であることが好ましい。
【００１２】
この構成により、多数の凹凸で散乱光が生成される。
また、上記の光電センサでは、前記凹凸は、前記基板カバーの長手方向に沿って設けられる断面波形の凹凸であることが好ましい。
【００１３】
この構成により、断面波形の凹凸で散乱光が生成される。
また、上記の光電センサでは、前記ケースは、前記基板カバーの上面及び側面を露出させた状態で前記カバー部材を覆うように成形することが好ましい。
【００１４】
この構成により、表示灯の点灯時に、基板カバーの上面及び側面が明るくなる。
【発明の効果】
【００１５】
本発明の光電センサによれば、表示灯の点灯を容易に視認することができる。
【図面の簡単な説明】
【００１６】
【図１】光電センサを示す斜視図である。
【図２】光電センサの主要部を示す斜視図である。
【図３】カバー部材を示す斜視図である。
【図４】カバー部材を示す斜視図である。
【図５】カバー部材を主要部に取着した状態を示す斜視図である。
【図６】カバー部材を主要部に取着した状態を示す斜視図である。
【図７】カバー部材を主要部に取着した状態を示す正面図である。
【図８】カバー部材を主要部に取着した状態を示す断面図である。
【図９】基板カバーを示す断面図である。
【発明を実施するための形態】
【００１７】
以下、光電センサの一実施形態を図面に従って説明する。図１に示す光電センサは、熱可塑性樹脂で一体成形されたケース１の一側に取付片２が形成され、その取付片２には、取付孔３が上下方向に２つ形成されている。そして、取付孔３に取付ネジ等を挿通して所定の取付位置に固定可能となっている。この実施形態では、ケース１がＰＢＴ（ポリブチレンテレフタレート）で成形されて、ネジ止め時に座屈の発生を防止し得る強度が確保されている。
【００１８】
ケース１の上面には、投光部４と受光部５が所定の間隔を隔てて対向するように上方に延設されている。投光部４内には投光素子が内蔵され、受光部５内には受光素子が内蔵され、投光素子から出力される赤外光を投光部４及び受光部５の外枠を介して受光素子で受光可能となっている。
【００１９】
次に、前記ケース１内に収容される光電センサの主要部について説明する。
図２に示す主要部Ｍは、リードフレーム上で電気的に接続された回路基板６、投光素子７及び受光素子８等に対しそれぞれＰＢＴで樹脂枠を成形し、その樹脂枠を適宜折り曲げて形成されている。
【００２０】
回路基板６上には、ＩＣチップと、抵抗、コンデンサ等の受動素子で構成される制御回路及び発光素子２５が搭載されている。そして、回路基板６を取り囲むように、四角枠状のベース部材９が成形されて基板部１０が構成されている。
【００２１】
前記基板部１０の長手方向の一方には投光素子枠１１が垂立され、長手方向の他方には受光素子枠１２が垂立されている。投光素子枠１１は前記投光素子７を保護する樹脂枠であり、受光素子枠１２は前記受光素子８を保護する樹脂枠である。
【００２２】
そして、投光素子枠１１及び受光素子枠１２と前記ベース部材９との間のリード部分で折り曲げられて投光素子枠１１及び受光素子枠１２が垂立する状態では、投光素子７と受光素子８が互いに対向するようになっている。
【００２３】
前記ベース部材９にリードを介して接続される補強部１３及び端子部材１４は、リード部分でベース部材９の裏面に回り込むように折り曲げられている。そして、図６及び図７に示すように、端子部材の裏面に露出する４つの端子１５ａ〜１５ｄに配線１６ａ〜１６ｄの被覆を剥がされた端部がそれぞれ半田付け等により接合されている。前記配線１６ａ〜１６ｄは、電源配線と信号線であり、端子部材１４の直下まで被覆部材１７で一括して覆われている。
【００２４】
図３は、前記ケース１の成形に先立って、前記基板部１０、投光素子枠１１及び受光素子枠１２を覆うように取着されるカバー部材１８を示す。カバー部材１８は、可視光を透過可能とした熱可塑性樹脂と可視光を透過しない熱可塑性樹脂で二色成形され、この実施形態ではＰＣ（ポリカーボネート）で成形されている。
【００２５】
そして、主に前記基板部１０の上面を覆う蓋状に形成された基板カバー１９が赤色樹脂で成形され、基板カバー１９の長手方向両端部に垂立して、主に前記投光素子枠１１と受光素子枠１２の対向面を覆う枠カバー２０，２１が黒色樹脂で成形されている。
【００２６】
図４に示すように、前記基板カバー１９の裏面には、その外周部に前記ベース部材９の外周部に嵌合可能とした枠状部２２が形成されている。また、枠状部２２の内側において、基板カバー１９の裏面すなわち回路素子搭載面との対向面には、図９に示すように、基板カバー１９の長手方向に沿って断面波形の多数の凹凸２３が形成されている。
【００２７】
このようなカバー部材１８の基板カバー１９をベース部材９に嵌合すると、図５に示すように、枠カバー２０，２１で投光素子枠１１と受光素子枠１２の対向面が覆われる。
また、図８に示すように、回路基板６の回路素子搭載面と基板カバー１９の下面との間には空間２４が確保されている。
【００２８】
上記のようにカバー部材１８を基板部１０、投光素子枠１１及び受光素子枠１２に取着した状態で金型にセットし、基板カバー１９の上面及び側面を露出させた状態でケース１を成形する。すると、図１に示すように、基板カバー１９を除いて、基板部１０、投光素子枠１１、受光素子枠１２、枠カバー２０，２１がケース１で覆われた光電センサが形成される。このとき、前記配線１６ａ〜１６ｄは、被覆部材１７で覆われた部分でケース１から露出され、被覆部材１７はケース１に対し水密性を有する状態で保持される。
【００２９】
次に、上記のように構成された光電センサの作用を説明する。
この光電センサでは、基板カバー１９の上面及び側面を除いて基板部１０、投光素子枠１１及び受光素子枠１２と、配線１６ａ〜１６ｄと、これらを接続するリードがケース１及び基板カバー１９で覆われている。
【００３０】
ＰＢＴで成形されるケース１と、ベース部材９、基板部１０、補強部１３、端子部材１４と、ＰＣで成形されるカバー部材１８は、ともに熱可塑性樹脂であるので、ケース１の成形時にケース１と他の部材との界面が互いに溶融して水密性が向上する。
【００３１】
ケース１の成形時には、基板カバー１９と基板部１０内の回路基板６との間に空間２４が確保される。このため、ケース１の成形時に回路基板６上にＰＢＴが流入することはないので、回路素子に作用する熱ストレスが軽減される。
【００３２】
設置状態では、投光部４と受光部５の間を被検出物が通過するとき、投光素子から受光素子に向かって出力される赤外光が被検出物で遮られる。すると、基板部１０に搭載された制御回路では被検出物の通過を検出して、その検出信号を配線１６ａ〜１６ｄで接続される制御システムに出力するとともに、発光素子２５を点灯させる。
【００３３】
発光素子２５が点灯されると、その可視光は基板カバー１９の裏面の凹凸２３により散乱して、基板カバー１９を通過する。すると、基板カバー１９の上面及び側面から散乱光が放射されるため、基板カバー１９のほぼ全体が赤色に点灯された状態となる。
【００３４】
上記のような光電センサでは、次に示す効果を得ることができる。
（１）熱可塑性樹脂のＰＢＴで成形されたベース部材９、基板部１０、補強部１３、端子部材１４と、熱可塑性樹脂のＰＣで成形されたカバー部材１８をほぼ覆うように、ＰＢＴでケース１が成形されるので、ケース１の成形時にケース１と他の部材との界面が互いに溶融して水密性が向上する。従って、耐水性に優れた光電センサを形成することができる。
（２）基板部１０と基板カバー１９とにより、回路基板６と基板カバー１９との間に空間２４が確保された状態でケース１を成形することができる。従って、回路基板上の回路素子の熱ストレスによる故障を軽減して、製造時の歩留まりを向上させることができる。
（３）カバー部材１８の基板カバー１９を赤色のＰＣで成形したので、回路基板６上の発光素子２５から出力される可視光により、基板カバー１９を赤色に点灯させることができる。
（４）発光素子２５から出力される可視光は、回路基板６と基板カバー１９との間の空間及び基板カバー１９の凹凸２３により散乱光となって基板カバー１９を透過する。従って、基板カバー１９の上面及び側面全体が赤色に点灯された状態となるため、光電センサの周囲からの視認性を向上させることができる。
（５）枠カバー２０，２１を黒色のＰＣで成形したので、受光素子枠１２の受光素子８での可視光の受信をほぼ遮断することができる。従って、受光素子８への可視光の侵入を遮断して、可視光の受信による誤動作を防止することができる。
（６）回路基板６の周囲にベース部材９を成形して基板部１０を形成したので、端子部材１４を回路基板６の裏側に折り曲げるとき、回路基板６への機械的ストレスの作用を軽減することができる。従って、機械的ストレスによる回路基板６及び回路素子の損傷を防止して、製造時の歩留まりを向上させることができる。
【００３５】
なお、上記実施形態は以下のように変更してもよい。
・上記実施形態の基板部１０と、投光素子枠１１及び受光素子枠１２を、ＰＢＴに代えて、ＡＢＳ（アクリロニトリルブタジエンスチレン）、ＰＣ、ＰＰＳ（ポリフェニレンスルフィド）で成形してもよい。また、カバー部材１８は、ＰＣに代えて、ＰＭＭＡ（ポリメタクリル酸メチル）を使用することもできる。
・基板カバー１９は、赤色以外の可視光を透過しやすい色彩のＰＣ樹脂で成形してもよい。
【符号の説明】
【００３６】
１…ケース、６…回路基板、７…投光素子、８…受光素子、９…枠部材（ベース部材）、１１…枠部材（投光素子枠）、１２…枠部材（受光素子枠）、１４…端子部材、１５ａ〜１５ｄ…端子、１６ａ〜１６ｄ…配線、１７…被覆部材、１８…カバー部材、１９…基板カバー、２３…散乱光生成部（凹凸）、２４…空間、２５…表示灯（発光素子）。
【図１】
0006349189.tif 000002
【図２】
0006349189.tif 000003
【図３】
0006349189.tif 000004
【図４】
0006349189.tif 000005
【図５】
0006349189.tif 000006
【図６】
0006349189.tif 000007
【図７】
0006349189.tif 000008
【図８】
0006349189.tif 000009
【図９】
0006349189.tif 000010